(57)【要約】【課題】  従来の携帯電話機は、着信音やバイブレーターの振動に気が付かず、落としたり紛失したりするという問題がありました。これは、ポケットや鞄などに入れ、出し入れするものが主流となるためです。【解決手段】  腕時計タイプにし、直接着信の振動を感知できるようにしました。腕に着けるため、落としたり紛失したりすることを防げます。通話しにくいとゆう問題は、参考写真ａの状態から参考写真ｃの状態に本機がベルトをスライドし、参考写真ｃの位置から参考写真ｄの位置のように、本機が回転するとゆうことで解決します。【選択図】図３
2009005320.tif 000002
【特許請求の範囲】
【請求項１】
腕時計感覚で着けていられるので、紛失しません。
日常生活防水の為、多少の水仕事でも大丈夫です。
画面本体が円形の為、強度に優れています。
通話ボタンがコンパクトに収まっているので、電話器本体のサイズが小さく使いやすいです。
オープンポジション（参考写真のｄ）の時、図５の６と７の距離が耳と口の距離なので、話し易く聞き取り易いです。
ベルトと本体がスライドし、画面が回転するので、腕時計としても携帯電話としても使い分けることができます。
着信時、バイブレーションにしておけば、腕に着けているのでうるさい場所でも着信を逃すことがありません。
腕に着けるので、着信時バックやポケットから探す手間が省けます。
図１０の、クローズポジションでも、図１１のオープンポジションでもカメラが使えます。
バックライトが点灯するため、暗いところでも通話しやすく、時間が分かりやすいです。
ベルトの長さが調節できます。
タイマー撮影ができます。例えば、撮影ボタンを押して１０秒後などにフラッシュとシャッター機能が作動します。
【発明の詳細な説明】
【技術分野】
【０００１】本発明は、携帯電話のより使い易い機能を備えた、進化させた腕時計型携帯電話装置です。
【背景技術】
【０００２】従来の携帯電話は、ポケットや鞄に納めるタイプであり、着信音やバイブレーターの振動を感知できないものもありました。【０００３】従来の携帯電話は、落としたり紛失することもありました。【０００４】時計機能を見るとき手間がかかりました。【０００５】従来の携帯電話は、長方形タイプががほとんどで、非破壊検査基準てきに、強度の弱い物が多いです。
【発明の開示】
【発明が解決しようとする課題】
【０００６】以上に述べた従来の携帯電話器では、着信音やバイブレータの振動を感知できませんでした。【０００７】ポケットや鞄に入れるスペースや置く場所をとる物がほとんどです。【０００８】プッシュボタンを押すときに、目の悪い人が分かりずらいです。【０００９】落としたり紛失したりしやすいです。【００１０】本発明は、このような問題点を解決することを目的とした、腕時計型携帯電話であります。
【課題を解決するための手段】
【００１１】図３の、クローズポジションのときコンパクトであります。【００１２】図１１の、オープンポジションのとき、１３のベルトを本体がスライドして、手の甲側から、手の平側に移動し、通話がしやすい状態に変型します。【００１３】図５の７と６の幅が耳と口の距離にあたり、通話しやすいです。【００１４】腕時計タイプなので、日常生活に支障がないくらい違和感がなく作業などしやすいです。【００１５】図５の２のボタンが立体に浮き出ているので、目の悪い人でも使用できます。【００１６】腕に着けるので、紛失したり落としたりしません。【００１７】更に、うるさい場所などでも、バイブレーター機能を感知できるので、着信に気が付かないなどとゆうミスがありません。【００１８】全てのボタンを円形型におさめたので、本機への隙間がなくなったため、コンパクトになっています。
【発明の効果】
【００１９】腕につけるため、落としたり無くしたりしません。【００２０】従来の携帯電話は、同じような形で新機種が発売されていますが、本発明は、長く使えて便利さを追求したため、モデルチェンジの必要がなくなり、産業廃棄物が減り環境にも優しいです。【００２１】腕に装着のため、モバイルＳｕｉｃａなどでも出し入れの必要がなくなり、楽になります。
【発明の実施するための最良の形態】
【００２２】以下、本発明の実施の形態を図１から図１３と参考写真に基づいて説明します。
【００２３】図３のクローズポジションは腕時計として使用でき、図５のオープンポジションは携帯電話として使用できます。
【００２４】８を接続することにより、図９の腕時計型になります。
【００２５】１３を本体がスライドし、移動できます。
【００２６】１３は、５ｍｍ間隔で接続されているので、５ｍｍ間隔で付け足すことも、取り外すこともできます。
【００２７】そのため、１３は、腕時計のベルトのように曲がります。
【００２８】更に、本体を１３の端までスライドさせると、取り外すことができます。
【００２９】取り外したら、１５にネックレスを取り付け、ペンダントヘッドの時計型携帯電話としても使えます。
【００３０】
2009005320.tif 000003
【００３１】それにより、オープンポジション時に１のモニターを、参考写真のｃからｄの様に移動することができます。
【００３２】２のボタンの数字や記号が浮き出ているため、目が悪い人でも使える様にしてあります。
【００３３】３は、オープンポジション、クローズポジションでも使える位置にあります。
【００３４】本機の本体は丸型なので、クローズポジション時のときは、強度が強いです。
【００３５】腕に着けるため、ポケットや鞄に保管する必要がなくなります。
【実施例】
【００３６】１３を腕に巻いて８を接続した状態でのクローズポジションは、１２を見て腕時計として使います（参考写真ａの状態）。【００３７】
2009005320.tif 000004
せると参考写真ｄの状態になり、通話ができる状態になります。【００３８】参考写真ｄの状態で７を耳に当て、６を口元に持ってくると、参考写真ｅの通話の状態になります。【００３９】本機を左腕に着けた場合は、参考写真ｆの状態になります。また、右腕に着けた場合は参考写真ｅの状態になります。
【産業上の利用可能性】
【００４０】
2009005320.tif 000005
も両腕を動かしながら作業ができます。【００４１】よって、防災対策にも役にたちます。【００４２】腕時計感覚で着けられるので、通話の状態時でもインパクトがあるため、企業の新しいアプローチになります。
【図面の簡単な説明】
【００４３】
【図１】本体とベルトの、クローズポジションの低面図であります。
【図２】本体とベルトの、オープンポジションの低面図であります。
【図３】クローズポジション。（サブディスプレイ）待ち受け画面、日付け、時刻を確認。通常の状態の形を表した平面図であります。
【図４】
2009005320.tif 000006
【図５】オープンポジション。ディスプレイ画面。ダイヤルボタンなどを押すときの状態の平面図であります。
【図６】クローズポジションの、ベルトと本体の、正面図であります。
【図７】クローズポジションの、ベルトと本体の、背面図であります。
【図８】クローズポジションの、本体のスライドの位置を表す左側面図であります。
【図９】ベルトの接続部分を表す、右側面図であります。
【図１０】クローズポジションの状態で、本体がベルトのレールを左右に移動した右側面図であります。
【図１１】オープンポジションを表す、右側面図であります。
【図１２】クローズポジションの状態で、本体とベルトのレールを表す左側面図であります。
【図１３】オープンポジションの状態で、本体とベルトのレールを表す左側面図であります。
【符号の説明】
【００４４】１    ディスプレイ画面
２    ダイヤルボタン／開始ボタン／メール／クリア／バック／＊ボタン
３    カメラ（レンズカバー）
４    明るさセンサー／モバイルライト
５    マルチガイド／誤動作防止ボタン
６    マイク（送話口）
７    レシーバー（受話口）
８    ベルト接続コネクター
９    リリースボタン（８の接続を外すとき）
１０  メモリーカードスロット
１１  ＡＶＯＵＴ／マイク付ステレオイヤホン端子／光デジタル・ライン入力端子
１２  サブディスプレイ画面
１３  スライドベルト／リストバンド
１４  外部機器端子
１５  ストラップ取り付け穴
１６  赤外線ポート
１７  マルチジョブ機能／マナーボタン
１８  音量／ズームボタン
１９  録画／シャッターボタン
２０  スライドレール
2009005320.tif 000007
【図１】
2009005320.tif 000008
【図２】
2009005320.tif 000009
【図３】
2009005320.tif 000010
【図４】
2009005320.tif 000011
【図５】
2009005320.tif 000012
【図６】
2009005320.tif 000013
【図７】
2009005320.tif 000014
【図８】
2009005320.tif 000015
【図９】
2009005320.tif 000016
【図１０】
2009005320.tif 000017
【図１１】
2009005320.tif 000018
【図１２】
2009005320.tif 000019
【図１３】
2009005320.tif 000020